(57)【要約】【課題】  ノックダウン方式で側方への拡張性を備え、必要最小限の部品によって天板を連設することができ、施工性にも優れ、コスト低減化を図ることが可能な組立式デスクを提供する。【解決手段】  両端部に配する端部脚１、中間に配する中間脚２、これら脚間を連結する脚間モジュール３及び端部脚と中間脚の上面に前後に間隔を置いて載置して取付ける天板４を有し、前後の天板の間の下方に脚間モジュールに備えたダクト開口１３が位置する組立式デスクであって、脚間モジュールは前後に間隔を隔てて配する一対のビーム板１１からなり、天板は全て同一横幅で両側端面１９にエッジ部材５を装着しない形態を基本構成とし、天板の両側下面を端部脚及び中間脚に載置して取付手段にて取付け、中間部における天板同士の端面を引付連結手段で直接接合し、端部における天板の外側端面にはエッジ部材を装着する。【選択図】        図１
2014113509.tif 000002
【特許請求の範囲】
【請求項１】
両端部に配する端部脚、前記端部脚間を連結する脚間モジュール及び前記端部脚の上面に前後に間隔を置いて載置して取付ける天板を有するとともに、前後の天板の間の下方に前記脚間モジュールに備えたダクト開口が位置する組立式デスクであって、前記天板は両側端面にエッジ部材を装着しない形態を基本構成とし、前記脚間モジュールは、前記ダクト開口を備えるべく前後に間隔を隔てて配する一対のビーム板からなり、各ビーム板の端面には前記端部脚に連結するための連結片を設けたものであり、前記天板の下面側縁を、前記端部脚の上面に載置して取付手段にて取付け、前記天板の外側端面にはエッジ部材を装着することを特徴とする組立式デスク。
【請求項２】
少なくとも両端部に配する端部脚、中間に配する中間脚、前記端部脚と中間脚の間又は中間脚と他の中間脚の間を連結する脚間モジュール及び前記端部脚と中間脚の上面に前後に間隔を置いて載置して取付ける天板を有するとともに、前後の天板の間の下方に前記脚間モジュールに備えたダクト開口が位置する組立式デスクであって、前記天板は全て同一横幅で両側端面にエッジ部材を装着しない形態を基本構成とし、前記中間脚は、脚柱と支持アームからなる側面視略Ｔ字形であり、前記脚間モジュールは、前記ダクト開口を備えるべく前後に間隔を隔てて配する一対のビーム板からなり、各ビーム板の端面には前記端部脚若しくは中間脚に連結するための連結片を設けるとともに、前記端部脚と中間脚の間及び隣り合う両中間脚の間で同一長さとしたものであり、前記天板の下面側縁を、前記端部脚の上面に載置するとともに、前記中間脚の上面に天板の側端面と中間脚の中心線が一致するように載置して取付手段にて取付け、中間脚の位置における天板同士の側端面を、ネジ部とナットの螺合による引付連結手段にて直接接合し、端部脚の位置における天板の外側端面にはエッジ部材を装着することを特徴とする組立式デスク。
【請求項３】
前記引付連結手段は、前記ネジ部を備えた連結棒を前記天板同士の接合部を交差するように配置し、前記ネジ部にナットを螺合することで、両天板の接合部を段差なく締結してなる請求項２記載の組立式デスク。
【発明の詳細な説明】
【技術分野】
【０００１】
本発明は、組立式デスクに係わり、更に詳しくはノックダウン方式で側方への拡張性を備えた組立式デスクに関するものである。
【背景技術】
【０００２】
従来から、端部脚と中間脚と、その間を連結する連結部材と、天板とからなり、中間脚を介して同一脚間距離で次々に天板を側方へ連設する構造の組立式デスクは各種提供されている。例えば、特許文献１には、外側脚と中間脚との間を連結枠で連結するとともに、外側脚と中間脚の天板支持腕上に天板を載置した状態で連結する構造の組立式デスクが開示されている。ここで、前記外側脚は上部に天板の支持腕、下部に接地脚をそれぞれ有しており、中間脚は２列の天板支持腕を有し、接地脚を有しない構造のものである。つまり、中間脚は外側脚の天板支持腕と同じ天板支持腕を二つ左右に並べて設けていることから、外側脚の横幅の２倍の幅を有し、連結枠によって脚間距離を一定にしながら側方へ天板を複数連設することを可能にしている。更に、外側脚及び中間脚と連結枠との連結は、連結枠の端面の下部に設けたフックを脚の側面に穿設した係合孔に係止し、上部に設けた取付孔を脚の上部のネジ孔にネジ止めすることが記載されている。
【０００３】
また、特許文献２には、端部脚と中間脚との間をダクト機能を備えたフレームで連結し、天板を前後に間隔を置いて装着するとともに、左右の天板を、該天板の前縁部を左右貫通した連結棒と連結用ナットを用い、各天板の下面端部に露出した両側の連結棒のネジ部に連結用ナットの両端を螺合して締結する構造が開示されている。
【０００４】
また、特許文献２の図１に記載のものは、同一横幅の天板を用いることができるように、周期構造的にはフレームの両端に同じ形状の中間脚を取付けて一体化し、それと同一横幅の天板を取付けてモジュール化し、これを単位として複数連結することにより、等ピッチ条件を確保したのであるが、そのため端部に位置する中間脚の外側に端部脚を連結し、該端部脚の内面側に天板の側端縁を接合した、いわゆる側勝ち構造とせざるを得なかったのであり、また中間部に中間脚が２枚重なった構造となるので外観性が重々しくなる。一方、特許文献２の図１０に記載のものは、中間脚として端部用天板受の２倍の横幅となるものを使用し、各脚間を同一のフレームで直接連結して脚間距離を一致させるのであるが、２つの中間脚を用いて３枚の天板を配置する際には、両中間脚間に設ける天板の横幅を両端部の天板の横幅より端部用天板受の幅だけ広くしなければならないといった不都合が生じる。
【先行技術文献】
【特許文献】
【０００５】
【特許文献１】実公平０６−０４１４６０号公報
【特許文献２】特開平１１−９３４４号公報
【発明の概要】
【発明が解決しようとする課題】
【０００６】
そこで、本発明が前述の状況に鑑み、解決しようとするところは、ノックダウン方式で側方への拡張性を備え、必要最小限の部品によって天板を連設することができ、施工性にも優れ、コスト低減化を図ることが可能な組立式デスクを提供する点にある。
【課題を解決するための手段】
【０００７】
本発明は、前述の課題解決のために、両端部に配する端部脚、前記端部脚間を連結する脚間モジュール及び前記端部脚の上面に前後に間隔を置いて載置して取付ける天板を有するとともに、前後の天板の間の下方に前記脚間モジュールに備えたダクト開口が位置する組立式デスクであって、前記天板は両側端面にエッジ部材を装着しない形態を基本構成とし、前記脚間モジュールは、前記ダクト開口を備えるべく前後に間隔を隔てて配する一対のビーム板からなり、各ビーム板の端面には前記端部脚に連結するための連結片を設けたものであり、前記天板の下面側縁を、前記端部脚の上面に載置して取付手段にて取付け、前記天板の外側端面にはエッジ部材を装着することを特徴とする組立式デスクを構成した（請求項１）。
【０００８】
また、本発明は、少なくとも両端部に配する端部脚、中間に配する中間脚、前記端部脚と中間脚の間又は中間脚と他の中間脚の間を連結する脚間モジュール及び前記端部脚と中間脚の上面に前後に間隔を置いて載置して取付ける天板を有するとともに、前後の天板の間の下方に前記脚間モジュールに備えたダクト開口が位置する組立式デスクであって、前記天板は全て同一横幅で両側端面にエッジ部材を装着しない形態を基本構成とし、前記中間脚は、脚柱と支持アームからなる側面視略Ｔ字形であり、前記脚間モジュールは、前記ダクト開口を備えるべく前後に間隔を隔てて配する一対のビーム板からなり、各ビーム板の端面には前記端部脚若しくは中間脚に連結するための連結片を設けるとともに、前記端部脚と中間脚の間及び隣り合う両中間脚の間で同一長さとしたものであり、前記天板の下面側縁を、前記端部脚の上面に載置するとともに、前記中間脚の上面に天板の側端面と中間脚の中心線が一致するように載置して取付手段にて取付け、中間脚の位置における天板同士の側端面を、ネジ部とナットの螺合による引付連結手段にて直接接合し、端部脚の位置における天板の外側端面にはエッジ部材を装着することを特徴とする組立式デスクを構成した（請求項２）。
【０００９】
ここで、前記引付連結手段は、前記ネジ部を備えた連結棒を前記天板同士の接合部を交差するように配置し、前記ネジ部にナットを螺合することで、両天板の接合部を段差なく締結してなる（請求項３）。
【発明の効果】
【００１０】
以上にしてなる請求項１に係る発明の組立式デスクによれば、両端部に配する端部脚、前記端部脚間を連結する脚間モジュール及び前記端部脚の上面に前後に間隔を置いて載置して取付ける天板を有するとともに、前後の天板の間の下方に前記脚間モジュールに備えたダクト開口が位置する組立式デスクであって、前記天板は両側端面にエッジ部材を装着しない形態を基本構成とし、前記脚間モジュールは、前記ダクト開口を備えるべく前後に間隔を隔てて配する一対のビーム板からなり、各ビーム板の端面には前記端部脚に連結するための連結片を設けたものであり、前記天板の下面側縁を、前記端部脚の上面に載置して取付手段にて取付け、前記天板の外側端面にはエッジ部材を装着するので、ノックダウン方式で施工性にも優れ、コスト低減化を図ることが可能である。また、脚間モジュールは、前後に間隔を隔てて配した一対のビーム板で形成したので、構造が簡単で安価に製造することができるとともに、ビーム板の寸法を変えることにより長さを自由に設定し、多様な脚間間隔に対応することができ、更に前後の天板間に設けるダクト機能を備え、また天板の外側端面にはエッジ部材を後付けによって装着するので、エッジ処理を施した天板と同様の綺麗な外観を有している。
【００１１】
また、請求項２に係る発明の組立式デスクによれば、少なくとも両端部に配する端部脚、中間に配する中間脚、前記端部脚と中間脚の間又は中間脚と他の中間脚の間を連結する脚間モジュール及び前記端部脚と中間脚の上面に前後に間隔を置いて載置して取付ける天板を有するとともに、前後の天板の間の下方に前記脚間モジュールに備えたダクト開口が位置する組立式デスクであって、前記天板は全て同一横幅で両側端面にエッジ部材を装着しない形態を基本構成とし、前記中間脚は、脚柱と支持アームからなる側面視略Ｔ字形であり、前記脚間モジュールは、前記ダクト開口を備えるべく前後に間隔を隔てて配する一対のビーム板からなり、各ビーム板の端面には前記端部脚若しくは中間脚に連結するための連結片を設けるとともに、前記端部脚と中間脚の間及び隣り合う両中間脚の間で同一長さとしたものであり、前記天板の下面側縁を、前記端部脚の上面に載置するとともに、前記中間脚の上面に天板の側端面と中間脚の中心線が一致するように載置して取付手段にて取付け、中間脚の位置における天板同士の側端面を、ネジ部とナットの螺合による引付連結手段にて直接接合し、端部脚の位置における天板の外側端面にはエッジ部材を装着するので、ノックダウン方式で側方への拡張性を備え、必要最小限の部品によって天板を連設することができ、施工性にも優れ、コスト低減化を図ることが可能である。また、脚間モジュールは、前後に間隔を隔てて配した一対のビーム板で形成したので、構造が簡単で安価に製造することができるとともに、ビーム板の寸法を変えることにより長さを自由に設定し、多様な脚間間隔に対応することができ、更に端部脚と中間脚及び中間脚同士を連結する機能と、前後の天板間に設けるダクト機能を備えている。また、全ての天板は同一横幅でしかも両側端縁にエッジ部材を装着しない形態を基本構成としているので、部品が共通化して生産、在庫管理が簡単になってコスト低減化を図ることができ、また端部に位置する天板の外側端面にはエッジ部材を後付けによって装着するので、エッジ処理を施した天板と同様の綺麗な外観を有し、一方、天板の中間部側は天板同士の側端面を、ネジ部とナットの螺合による引付連結手段にて直接接合するので、天板間に段差がなくまたエッジ部材がないので、一体感を出すことができる。
【００１２】
請求項３によれば、前記引付連結手段は、前記ネジ部を備えた連結棒を前記天板同士の接合部を交差するように配置し、前記ネジ部にナットを螺合することで、両天板の接合部を段差なく締結してなるので、外観性に優れている。
【図面の簡単な説明】
【００１３】
【図１】本発明の組立式デスクの構成例を示す斜視図である。
【図２】同じく部分分解斜視図である。
【図３】端部脚と脚間モジュールの連結構造を示す部分斜視図である。
【図４】中間脚と脚間モジュールの連結構造を示す部分斜視図である。
【図５】基本構成の天板の省略平面図である。
【図６】一側端面にエッジ部材を装着した端部用の天板の省略平面図である。
【図７】天板同士の連結構造を示す部分斜視図である。
【図８】同じく連結状態の省略斜視図である。
【図９】組立式デスクの一部省略正面図である。
【図１０】同じく縦断側面図である。
【発明を実施するための形態】
【００１４】
次に、添付図面に示した実施形態に基づき、本発明を更に詳細に説明する。図１は本発明に係る組立式デスクを示し、図２〜図１０はその詳細を示し、図中符号１は端部脚、２は中間脚、３は脚間モジュール、４は天板、５はエッジ部材をそれぞれ示している。
【００１５】
本実施形態に係る組立式デスクは、少なくとも両端部に配する端部脚１，１、中間に配する中間脚２、脚間を連結する脚間モジュール３及び天板４を有し、図示したものは前後中間にダクト６を設けて前後に天板４，４を配した両面タイプのものである。
【００１６】
前記端部脚１は、図２に示すように、側面視四角形の板状のものであり、上端に内方へ向けた天板４を取付ける取付片７，…を前後に４つ固定している。また、前記中間脚２は、脚柱８と支持アーム９とからなる側面視略Ｔ字形を有し、該支持アーム９の左右両側にそれぞれ４つの取付片１０，…を固定している。ここで、前記中間脚２の横幅は端部脚１の横幅の２倍に設定している。尚、前記支持アーム９に取付片１０，…を設ける代わりに、前記支持アーム９に上下貫通した貫通孔を２つずつ並べて形成しても良い。
【００１７】
前記脚間モジュール３は、前後に間隔を隔ててビーム板１１，１１を配し、両ビーム板１１，１１の両端上部間を連結板１２，１２で連結し、上下貫通したダクト開口１３を形成したものであり、両ビーム板１１，１１のそれぞれ端面に連結片１４，１４を形成し、各連結片１４の下部にダルマ孔１５、上部に通孔１６を形成している。図２〜図４及び図１０に示すように、前記脚間モジュール３を構成する前記ビーム板１１，１１は、上下を内側に折り曲げるとともに、端部に部材を固定して端面に前記連結片１４，１４を形成したものである。
【００１８】
そして、前記端部脚１の内側面の上部に、前記脚間モジュール３の連結面に形成した両ダルマ孔１５，１５に対応させて頭部付き連結ピン１７，１７を突設するとともに、前記通孔１６，１６に対応させて螺孔１８，１８を形成している。同様に、前記中間脚２の脚柱８の上部両側面に、頭部付き連結ピン１７，１７を突設するとともに、螺孔１８，１８を形成している。
【００１９】
前記天板４は、図５に示すように、前後縁は通常通りエッジ処理、あるいはポストフォームしているが、両側端面１９，１９にエッジ部材５を装着しない形態を基本構成としている。当該天板４の構造は特に限定されないが、図７に示すように、スチール製の表面板２０と裏面板２１の間にスチール製のハニカムを介在させ、その周囲に合成樹脂製の低発泡体、あるいは中質繊維板（ＭＤＦ）等を配して芯材２２とした構造のものを用いた。また、スチール製の表面板２０と裏面板２１の間に直接低発泡の合成樹脂製の芯材２２を発泡形成することも可能である。そして、前記天板４の下面の両端部に凹部２３を形成するとともに、該凹部２３から天板４の側端面１９に貫通孔２４を形成している。本実施形態では、下面の前後両側部の４箇所に前記凹部２３と貫通孔２４を形成している。ここで、前記天板４の側端面１９は、直角に切り立った面であり、端部に前記芯材２２が露出していても、また補強部材が表面板２０と裏面板２１との間に固着されていても構わない。更には、前記天板４は木質系の中実構造のものでも良い。また、前記天板４の下面の両側端縁の前後部であって、前記取付片７，７あるいは取付片１０，１０に対応する位置に螺孔２５，２５を形成している。
【００２０】
そして、端部に位置する天板４には、図６に示すように、一方の側端面１９にエッジ部材５を接着やその他の手段にて装着し、天板４の端部をエッジ処理する。ここで、前記エッジ部材５は、合成樹脂製でも木製でも良く、前記天板４の側端面１９に装着する際に、前記貫通孔２４，２４にエッジ部材５に突設したダボを嵌合することにより位置決めすることも好ましい。
【００２１】
このような各部品を用いて本実施形態に係る組立式デスクを施工するには、先ず図２及び図３に示すように、前記端部脚１を立起状態にして、前記脚間モジュール３の一方の連結面に形成したダルマ孔１５，１５を前記端部脚１の内側面に突設した頭部付き連結ピン１７，１７に係止し、それから図２及び図４に示すように、前記中間脚２を立起状態にして、前記脚間モジュール３の他方の連結面に形成したダルマ孔１５，１５を、中間脚２の脚柱８の内側面に突設した頭部付き連結ピン１７，１７に係止して仮止めする。それから、前記脚間モジュール３の連結面に形成した通孔１６，１６に、ダクト開口１３の内部から連結ネジ２７，２７を挿通して、前記端部脚１及び中間脚２の螺孔１８，１８にそれぞれ螺合する。次に、前記端部脚１と中間脚２の上面に天板４の下面両側縁を載置し、前記端部脚１に設けた取付片７，７と中間脚２に設けた取付片１０，１０に、下方からネジ２８，…を挿通して前記天板４の螺孔２６，…に螺合する。尚、前記取付片１０，１０の代わりに、前記支持アーム９に貫通孔を形成した場合には、該貫通孔に下方から長さの長いネジ２８を挿通し、前記螺孔２６に螺合する。
【００２２】
それから、前記中間脚２の他の側面に、他の脚間モジュール３の一端部を前記同様に連結するとともに、該脚間モジュール３の他端部に前記同様に中間脚２又は端部脚１を連結する。この状態で、中間脚２と他の中間脚２又は端部脚１の上面に新たな天板４を載置する前に、図７及び図８に示すように、既設の前記天板４の側端面１９に形成した貫通孔２４，２４に連結棒２９，２９の一端部を挿入しておき、新たな天板４の側端面１９の貫通孔２４，２４を前記連結棒２９，２９の他端部を挿入しつつ前記中間脚２と他の中間脚２又は端部脚１の上面に載置し、前記同様に取付片７，７と取付片１０，１０を用いてネジ２８，…で取付ける。次に、前記両天板４，４の貫通孔２４，２４に挿通した連結棒２９の各端部のネジ部３０に前記凹部２３内でナット３１を螺合して締結する。このように、次々と側方へ脚間モジュール３、中間脚２、天板４を連結していき、最後に端部脚１を連結するのである。ここで、前記ネジ部３０を備えた連結棒２９を、前記天板１，１同士の接合部を交差するように配置し、前記ネジ部３０にナット３１を螺合することで、両天板１，１の接合部を段差なく締結する校正が引付連結手段である。
【００２３】
ここで、中間部における天板４，４同士の側端面１９，１９は直接接合されているので、両天板４，４の接合部に段差がなく、しかもエッジ部材５が存在しないので、両天板４，４が一体となるのである。尚、図示しないが、前記天板４の側端面１９に軟質シートを添設し、両天板４，４間に圧接することにより、完全に隙間をなくするようにすることも好ましい。
【００２４】
図９は、両端部脚１，１の間に一つの中間脚２を配置し、その上に２枚の天板４，４を前後それぞれの側に取付けた状態を示し、図中符号Ｗ１は端部脚１の横幅、Ｗ２は中間脚２の横幅、Ｄは脚間距離、即ち脚間モジュール３の長さを示している。前述のように、Ｗ２はＷ１の２倍であり、各脚間距離Ｄは全て同一である。このようなデスクを実現できたのは、前記天板４の両側端面１９，１９にエッジ部材５を設けない状態を基本構成とし、この天板４の横幅と、脚間モジュール３の長さの両方とも繰り返し単位とするとともに、端部脚１及び中間脚２の上面に天板４が載置される構成としたことによる。ここで、端部に位置する前記天板４の外側端面１９にはエッジ部材５を装着した場合、該エッジ部材５の厚さ分だけ端部脚１の外側面から突出するが、その部分の寸法設定に全く影響を及ぼさないのである。
【００２５】
また、本実施形態では、図１０に示すように、前後に間隔を置いて天板４，４を取付けてあり、前後の天板４，４の間の下方には前記脚間モジュール３のダクト開口１３が位置し、該ダクト開口１３は、前記天板４の後縁に設けた係止片（図示せず）にダクトカバー３２，…を着脱可能に装着している。
【符号の説明】
【００２６】
１  端部脚
２  中間脚
３  脚間モジュール
４  天板
５  エッジ部材
６  ダクト
７  取付片
８  脚柱
９  支持アーム
１０  取付片
１１  ビーム板
１２  連結板
１３  ダクト開口
１４  連結片
１５  ダルマ孔
１６  通孔
１７  連結ピン
１８  螺孔
１９  側端面
２０  表面板
２１  裏面板
２２  芯材
２３  凹部
２４  貫通孔
２５  螺孔
２６  螺孔
２７  連結ネジ
２８  ネジ
２９  連結棒
３０  ネジ部
３１  ナット
３２  ダクトカバー
【図１】
2014113509.tif 000003
【図２】
2014113509.tif 000004
【図３】
2014113509.tif 000005
【図４】
2014113509.tif 000006
【図５】
2014113509.tif 000007
【図６】
2014113509.tif 000008
【図７】
2014113509.tif 000009
【図８】
2014113509.tif 000010
【図９】
2014113509.tif 000011
【図１０】
2014113509.tif 000012